【事件の表示】
　特願２０１７−１２８６４３「リモート通信システム」拒絶査定不服審判事件〔平成３１年　１月２４日出願公開、特開２０１９−　１２４０１、請求項の数（６）〕について、次のとおり審決する。
【結　論】
　原査定を取り消す。
　本願の発明は、特許すべきものとする。
【理　由】
第１　手続の経緯
　本願は、平成２９年６月３０日の出願であって、令和２年３月１６日付けで拒絶理由通知がされ、令和２年５月１５日付けで手続補正がされ、令和２年７月７日付けで拒絶査定がなされ、これに対して令和２年１０月１２日に審判の請求がされると同時に手続補正がされ、令和２年１１月５日に前置報告がされたものである。
第２　原査定の概要
　原査定（令和２年７月７日付け拒絶査定）の概要は次のとおりである。
　本願請求項１、３−７に係る発明は、以下の引用文献１に基づいて、その発明の属する技術の分野における通常の知識を有する者（以下、「当業者」という。）が容易に発明できたものであるから、特許法第２９条第２項の規定により特許を受けることができない。
引用文献等一覧
　１．特開２００４−１２０５４７号公報
第３　本願発明
　本願請求項１−６に係る発明（以下、それぞれ「本願発明１」−「本願
発明６」という。）は、令和２年１０月１２日付けの手続補正で補正され
た特許請求の範囲の請求項１−６に記載された事項により特定される発明
であり、本願発明１は以下のとおりの発明である。
「【請求項１】
　画像形成装置と、
　前記画像形成装置が所属するネットワークの外部に存在する電子機器と、
　前記画像形成装置および前記電子機器の間のセッションを中継するセッション中継システムと、
　前記セッションを管理するセッション管理システムと
　を備え、
　前記セッション中継システムは、前記セッションによる通信を前記セッション中継システムにおいて識別するための第１のセッションＩＤおよび第２のセッションＩＤを前記セッション管理システムに通知し、
　前記セッション管理システムは、前記電子機器への前記第１のセッションＩＤの通知と、前記画像形成装置への前記第２のセッションＩＤの通知とを実行し、
　前記電子機器は、前記セッション中継システムとの間に前記第１のセッションＩＤを使用する接続を確立し、
　前記画像形成装置は、前記セッション中継システムとの間に前記第２のセッションＩＤを使用する接続を確立し、
　前記セッション中継システムは、前記電子機器との間に確立された接続と、前記画像形成装置との間に確立された接続とを前記第１のセッションＩＤおよび前記第２のセッションＩＤによって関連付けることによって、前記セッションを中継し、
　前記セッション管理システムは、前記画像形成装置の利用者から前記セッションの開始が承認されなかった場合、前記電子機器への前記第１のセッションＩＤの通知と、前記画像形成装置への前記第２のセッションＩＤの通知との少なくとも１つを実行せず、
　前記画像形成装置は、前記画像形成装置に表示される画面のデータを前記セッションを介して前記電子機器に送信するサーバーアプリケーションを備え、
　前記電子機器は、前記データを前記セッションを介して前記サーバーアプリケーションから受信して前記データに基づいた画面を表示するアプリケーションであるクライアントを備え、
　前記クライアントは、前記クライアント自身が前記データに基づいて表示した画面に対する操作を受け付けて前記操作を前記セッションを介して前記サーバーアプリケーションに送信し、
　前記サーバーアプリケーションは、前記操作を前記セッションを介して前記クライアントから受信して前記操作に応じて前記画像形成装置を動作させることを特徴とするリモート通信システム。」
　なお、本願発明２−６は、本願発明１を減縮した発明である。
第４　引用文献、引用発明等
１．引用文献１について
　原査定の拒絶の理由に引用された引用文献１（特開２００４−１２０５４７号公報）には、図面とともに、以下の事項が記載されている（下線は当審付与。以下同様。）。
（１）　段落【００６０】
「【００６０】
　以上説明したように本実施の形態によれば、通知ＵＤＰパケット１０９への応答として接続要求ＵＤＰパケット１１１を送ることで、プライベートＩ Ｐアドレスを持つＬＡＮ 内の機器１０１ に対し、インターネット上の端末１０２から所望のタイミングで自由に通信を開始できる。これにより、例えば、端末としてインターネットに接続された携帯電話やＰＤＡを用い、
機器としてＬＡＮ に接続された、ビデオ、テレビ、エアコン、冷蔵庫などの家電を用い
（２）　段落【００７５】
「【００７５】
（実施の形態２）
本発明に係る
通信システム
本実施形態のネットワーク接続は図２で示したとおりである。アドレス付与も第１の実施の形態と同じであり、通信シーケンスのみが異なっている。本実施の形態では
端末としてＷｅｂブラウザを備えたＰＣや携帯電話を用いており、これを用いてＬＡＮに接続された機器１０１とＨＴＴＰによる通信を行なって操作やコンテンツ取得などを行なうものであ
（２）　段落【００８１】−【００９１】
「【００８１】
以上の通信準備が完了している状況で、
端末１０２から機器１０１に対する通信を開始する場合、端末１０２はサーバ１０４に対し、
ＨＴＴＰリクエストとして機器接続要求４１１を送信
１０１が登録した対応エントリを得る。
【００８２】
次に、サーバ１０４はエントリ内の最終アクセス時刻（図４参照）を確認し、それと現在時刻との差が最大アクセス確認周期を超えている場合は機器接続要求４１１を拒否し、最大アクセス確認周期以内の場合は、ステップＳ４２４以後に進んで機器１０１に接続要求ＵＤＰパケット４１２を送信する。この最終アクセス時刻の確認により、第１の実施の形態と同様に、誤って関係の無い別の機器に接続要求を行うことを回避できる等の効果がある。
【００８３】
次にサーバ１０４は、ステップＳ４２４において一意なセッション識別子を生成してサーバ１０４内に保存
さらに、サーバ１０４は機器１０１に
セッション識別子をペイロードに含む接続要求ＵＤＰパケット４１２を送信
【００８４】
接続要求ＵＤＰパケット４１２を受信した機器１０１は、サーバ１０４に対してＴＣＰ接続要求４１３を送信
【００８５】
以上によりサーバ１０４と機器１０１の間でＴＣＰ接続が確立され
セッション識別子通知４１４によって
サーバ１０４はセッション識別子を受信すると、ステップＳ４２５でセッション識別子の照合を行い、
【００８６】
その後、サーバ１０４はＨＴＴＰリクエスト４１１に対する応答としてＨＴＴＰレスポンス４１５を端末１０２に送信
このＨＴＴＰレスポンス４１５は、端末１０２に表示すべきＨＴＭＬコンテンツを含んでおり、かつ、このＨＴＭＬコンテンツにはセッション識別子”５６７８”が、
リンクやボタンとして埋め込まれて
以上の手順により、端末１０２には機器１０１に対応するページ（画像）が表示され
【００８７】
次に、ユーザが表示されたページ内のリンクをクリックすると、
セッション識別子を含むＨＴＴＰリクエスト４１６が生成されてサーバ１０４に送信され
サーバ１０４はＨＴＴＰリクエスト４１６を受信
セッション識別子”５６７８”を照合
（ステップＳ４２６）
した結果、セッション識別子”５６７８”のＴＣＰ接続が既に確立済みであることを検出すると、
ＨＴＴＰリクエスト４１６の内容を
ＨＴＴＰリクエスト転送４１７としてそのＴＣＰ接続上に転送
このようにして、端末１０２は、機器１０１に対するＨＴＴＰリクエストを送信でき
【００８８】
本発明の端末と機器間の通信転送において、上記で説明したような変換方式を用いると、端末は従来のＷｅｂブラウザをなんら変更することなく動作可能な上、機器上の”ｄｅｖｉｃｅＦｕｎｃ．ｃｇｉ”等の所望のｃｇｉと”Ｐａｒａｍ＝ａｂｃｄ”等の所望のパラメータを指定して起動させるＨＴＭＬ文書を機器が自由に記述することが可能になるなど、優れた効果を持つ。
【００８９】
ＨＴＴＰリクエスト転送４１７を受信した機器１０１は、その応答としてＨＴＴＰレスポンス４１８を返信する。この動作について図６を用いて詳細に説明する。
【００９０】
図６に示すように、
機器１０１は転送モジュール５０１とＷｅｂサーバモジュール５０２を備え
Ｗｅｂサーバモジュール５０２は通常のＷｅｂサーバであ
【００９１】
図５に戻り、次に、サーバ１０４により、ＨＴＴＰレスポンス４１８がＨＴＴＰレスポンス転送４１９として端末１０２に返送される。ＨＴＴＰレスポンス転送４１９に含まれるＨＴＭＬコンテンツには、セッション識別子がリンクやボタンとして埋め込まれており、手順４１６〜４１９と同様の手順を繰り返すことにより、端末１０２から機器１０１に対して継続的にＨＴＴＰによるアクセスを行なうことが可能になる。
この通信のＨＴＭＬコンテンツ生成は機器１０１で行なわれ、コンテンツ表示と操作は端末１０２で行なわれることにより、端末１０２から機器１０１を自由に操作したり、コンテンツを取得したりできる
（３）　【符号の説明】欄（抜粋）
「
４１５
機器接続応答
（４）　【図５】
「
」
（５）　引用発明
　したがって、関連図面に照らし、引用文献１には、次の発明（以下、「引用発明」という。）が記載されていると認められる。
「機器としてＬＡＮ に接続された、ビデオ、テレビ、エアコン、冷蔵庫などの家電を用いる、通信システムは、端末としてＷｅｂブラウザを備えたＰＣや携帯電話を用いており、これを用いてＬＡＮに接続された機器１０１とＨＴＴＰによる通信を行なって操作やコンテンツ取得などを行なうものであり、
　端末１０２から機器１０１に対する通信を開始する場合、端末１０２はサーバ１０４に対し、ＨＴＴＰリクエストとして機器接続要求４１１を送信し、
　次にサーバ１０４は、ステップＳ４２４において一意なセッション識別子を生成してサーバ１０４内に保存し、さらに、サーバ１０４は機器１０１に、セッション識別子をペイロードに含む接続要求ＵＤＰパケット４１２を送信し、
　接続要求ＵＤＰパケット４１２を受信した機器１０１は、サーバ１０４に対してＴＣＰ接続要求４１３を送信し、
　以上によりサーバ１０４と機器１０１の間でＴＣＰ接続が確立され、
　セッション識別子通知４１４によって、サーバ１０４はセッション識別子を受信すると、ステップＳ４２５でセッション識別子の照合を行い、　
　その後、サーバ１０４はＨＴＴＰリクエスト４１１に対する応答としてＨＴＴＰレスポンス４１５（機器接続応答）を端末１０２に送信し、このＨＴＴＰレスポンス４１５（機器接続応答）は、端末１０２に表示すべきＨＴＭＬコンテンツを含んでおり、かつ、このＨＴＭＬコンテンツにはセッション識別子”５６７８”が、リンクやボタンとして埋め込まれており、以上の手順により、端末１０２には機器１０１に対応するページ（画像）が表示され、
　次に、ユーザが表示されたページ内のリンクをクリックすると、セッション識別子を含むＨＴＴＰリクエスト４１６が生成されてサーバ１０４に送信され、サーバ１０４はＨＴＴＰリクエスト４１６を受信し、セッション識別子”５６７８”を照合（ステップＳ４２６）した結果、セッション識別子”５６７８”のＴＣＰ接続が既に確立済みであることを検出すると、ＨＴＴＰリクエスト４１６の内容を、ＨＴＴＰリクエスト転送４１７としてそのＴＣＰ接続上に転送し、このようにして、端末１０２は、機器１０１に対するＨＴＴＰリクエストを送信でき、
　機器１０１は転送モジュール５０１とＷｅｂサーバモジュール５０２を備え、Ｗｅｂサーバモジュール５０２は通常のＷｅｂサーバであり、
　この通信のＨＴＭＬコンテンツ生成は機器１０１で行なわれ、コンテンツ表示と操作は端末１０２で行なわれることにより、端末１０２から機器１０１を自由に操作したり、コンテンツを取得したりできる、
　通信システム。」
２．周知技術等
（１）　引用文献２
　前置報告書において周知技術を示す文献として引用された引用文献２（特開２０１７−１０３８１４号公報）の段落【０００４】には、以下の記載がある。
「【０００４】
　そこで、最近、
画像処理装置の操作用画面を携帯端末装置の表示部にリモート画面として表示し、携帯端末装置から画像処理装置を連携操作できる
この画面データに基づくリモート画面は、本来は画像処理装置の操作パネルに表示される画面と同じである
（２）　引用文献３
　前置報告書において周知技術を示す文献として引用された引用文献３（浅野大雅、「画面共有技術の応用システムの開発」、ＲＩＣＯＨ　ＴＥＣＨＮＩＣＡＬ　ＲＥＰＯＲＴ、第３３号、２００７年１２月１０日、ｐ．１２６−１３３）には、１２８ページの「１−３−２ ＰＣからＭＦＰの遠隔操作」に、以下の記載がある。
「Ｆｉｇ．４を用いて，
ＰＣからＭＦＰの遠隔操作
ＭＦＰの画面を共有しながら
（３）　引用文献α
　出願時の技術水準を示す文献として、当審で新たに引用する引用文献α（特開２０１７−５４４５８号公報）には、以下の記載がある。
ア　段落【００３２】−【００４２】
【００３２】
　図４は、実施形態１に係る
ＭＦＰ１００、ＰＣ１１０、中継サーバ１２０、管理サーバ１３０との間の通信
　　　・・・（中略）・・・
【００３４】
　管理サーバ１３０は、上述したようにＭＦＰ１００とコールセンターとを関連付けるＭＦＰ情報テーブル１３１を有している。
管理サーバ１３０は、受信したＭＦＰの識別子に基づいて、ＭＦＰ１００が管理サーバ１３０が管理するＭＦＰであるかをＭＦＰ情報テーブル１３１を参照して判定し、管理対象であればＳ４０２で、認証トークンをＭＦＰ１００に送信する
また管理サーバ１３０はＳ４０３で、受信したＭＦＰの識別子に基づいて、ＭＦＰ情報テーブル１３１から中継サーバ１２０のＵＲＬを取得し、そのＵＲＬをＭＦＰ１００に送信する
【００３５】
　次にＳ４０４でＭＦＰ１００は、Ｓ４０３で受信した中継サーバ１２０のＵＲＬに対して、認証トークンの検証要求を発行する。これにより中継サーバ１２０は、
その検証の結果として、Ｓ４０５でセッションＩＤをＭＦＰ１００に返す
このセッションＩＤは、中継サーバ１２０へのログインが成功したことを証明するデータであり、中継サーバ１２０への支援ＵＲＬの作成要求などの際に渡すデータである
　　　・・・（中略）・・・
【００４１】
　Ｓ４１３でＰＣ１１０は、中継サーバ１２０に接続するために、管理サーバ１３０にユーザ名とパスワードを送信して認証要求を行う。これによりＳ４１４で管理サーバ１３０は、ＰＣ１１０のユーザが管理サーバ１３０のオペレータ情報テーブル１３２に登録されているか否かを判定し、パスワードの検証を行い、正しければ認証トークンをＰＣ１１０に送信する。こうして認証トークンを取得したＰＣ１１０はＳ４１５で、中継サーバ１２０に認証トークンの検証要求を行う。
これによりＳ４１６で中継サーバ１２０は、その検証の結果としてセッションＩＤをＰＣ１１０に返す
これによりＭＦＰ１００とＰＣ１１０との間での支援データのやり取りができるようになる
【００４２】                                                         
Ｓ４２１で中継サーバ１２０は、Ｓ４１２で送信開始されたＭＦＰ１００からのＧＥＴ要求に対する応答として、参加者情報をＭＦＰ１００へ送信する。これにより、ＭＦＰ１ ００は、自身を支援する装置としてＰＣ１１０が選択されたことを把握することができる。こうしてＳ４２２，Ｓ４２３で、
ＭＦＰ１００とＰＣ１１０は、
中継サーバ１２０を介した支援データの通信を行う
ここで支援データとしては、例えば、
遠隔操作の命令データ、ＭＦＰ１００の持つデータなどが挙げられる
イ　【図４】
「
」
第５　対比・判断
１．本願発明１について
（１）対比
　本願発明１と引用発明とを対比すると、次のことがいえる。
ア　引用発明の「機器としてＬＡＮ に接続された、ビデオ、テレビ、エアコン、冷蔵庫などの家電を用いる」、「ＬＡＮに接続された機器１０１」は、本願発明１の「
画像形成
イ　引用発明の「端末１０２」は、ここで「
端末として
携帯電話を用いており
ＬＡＮに接続された機器１０１とＨＴＴＰによる通信を行なって
画像形成
記装
ウ　引用発明の「サーバ１０４」は、本願発明１の「セッション中継システム」に対応する。
　よって、引用発明の「
サーバ１０４はＨＴＴＰリクエスト４１６を受信し、セッション識別子”５６７８”を照合（ステップＳ４２６）し
セッション識別子”５６７８”のＴＣＰ接続が既に確立済みであることを検出すると
そのＴＣＰ接続上に転送し
端末１０２は、機器１０１に対するＨＴＴＰリクエストを送信でき
画像形成
記装
エ　本願発明１の「第１のセッションＩＤ」および「第２のセッションＩＤ」は、両者が「同一のセッションＩＤ」である場合が排除されていない。
　よって、引用発明の「サーバ１０４」が、「セッション識別子”５６７８”」を用いて、「
機器１０１に、セッション識別子を
含む接続要求ＵＤＰパケット４１２を送信し
ＨＴＴＰレスポンス４１５（機器接続応答）を端末１０２に送信し
セッション識別子”５６７８”が
埋め込まれて
前記セッション管理システムは、
画像形成
前
記装
オ　上記「エ」のとおり、本願発明１の「第１のセッションＩＤ」および「第２のセッションＩＤ」には、両者が同一のセッションＩＤである場合が排除されていないから、引用発明において同一の「セッション識別子”５６７８”」が端末１０２とサーバ１０４と、サーバ１０４と機器１０１との通信に用いられていることは、「前記第１のセッションＩＤおよび前記第２のセッションＩＤによって関連付け」されているといい得る。
　よって、引用発明において、（セッション識別子を含む）「次に、ユーザが表示されたページ内のリンクをクリックすると、
セッション識別子を含むＨＴＴＰリクエスト４１６が生成されてサーバ１０４に送信され
セッション識別子”５６７８”のＴＣＰ接続が既に確立済みであることを検出すると、ＨＴＴＰリクエスト４１６の内容を、ＨＴＴＰリクエスト転送４１７としてそのＴＣＰ接続上に転送し
画像形成
画像形成
記装
記装
カ　引用発明の「機器１０１」が備える「Ｗｅｂサーバモジュール５０２」は、本願発明１の「サーバーアプリケーション」に相当する。
　引用発明の「端末１０２」の「Ｗｅｂブラウザ」は、本願発明１の「アプリケーションであるクライアント」に相当する。
　よって、引用発明の「通信システムは、
端末としてＷｅｂブラウザを備え
サーバ１０４は
端末１０２に表示すべきＨＴＭＬコンテンツ
端末１０２には機器１０１に対応するページ（画像）が表示され
ユーザが表示されたページ内のリンクをクリックすると
サーバ１０４に送信され
機器１０１は
Ｗｅｂサーバモジュール５０２を備え
画像形成
前記画像形成装置に表示される画面の
記装
、デ
キ　引用発明の「端末１０２から機器１０１を自由に操作したり、コンテンツを取得したりできる、通信システム」は、本願発明１の「リモート通信システム」に相当する。
　したがって、本願発明１と、引用発明との間には、次の一致点、相違点が
あるといえる。
［一致点］
「装置と、
　前記装置が所属するネットワークの外部に存在する電子機器と、
　前記装置および前記電子機器の間のセッションを中継するセッション中継システムと、
　を備え、
　前記電子機器への前記第１のセッションＩＤの通知と、前記装置への前記第２のセッションＩＤの通知とを実行し、
　前記電子機器は、前記セッション中継システムとの間に前記第１のセッションＩＤを使用する接続を確立し、
　前記装置は、前記セッション中継システムとの間に前記第２のセッションＩＤを使用する接続を確立し、
　前記セッション中継システムは、前記電子機器との間に確立された接続と、前記装置との間に確立された接続とを前記第１のセッションＩＤおよび前記第２のセッションＩＤによって関連付けることによって、前記セッションを中継し、
　前記装置は、データを前記セッションを介して前記電子機器に送信するサーバーアプリケーションを備え、
　前記電子機器は、前記データを前記セッションを介して前記サーバーアプリケーションから受信して前記データに基づいた画面を表示するアプリケーションであるクライアントを備え、
　前記クライアントは、前記クライアント自身が前記データに基づいて表示した画面に対する操作を受け付けて前記操作を前記セッションを介して前記サーバーアプリケーションに送信し、
　前記サーバーアプリケーションは、前記操作を前記セッションを介して前記クライアントから受信して前記操作に応じて前記装置を動作させることを特徴とするリモート通信システム。」
［相違点１］
　本願発明１は、「
画像形成
ビデオ、テレビ、エアコン、冷蔵庫などの家電
　また、「装置」が「画像形成装置」であることに伴って、本願発明では、
　「電子機器」が、「前記
画像形成
　「セッション中継システム」が、「前記
画像形成
　「前記
画像形成
　「前記
画像形成
　「前記セッション中継システムは、前記電子機器との間に確立された接続と、前記
画像形成
　「前記サーバーアプリケーションは、前記操作を前記セッションを介して前記クライアントから受信して前記操作に応じて前記
画像形成
［相違点２］
　本願発明１のシステムは、さらに、
「前記セッションを管理するセッション管理システム」を備えるとともに、
「前記セッション中継システムは、前記セッションによる通信を前記セッション中継システムにおいて識別するための第１のセッションＩＤおよび第２のセッションＩＤを前記セッション管理システムに通知し」、
「前記セッション管理システムは」、前記電子機器への前記第１のセッションＩＤの通知と、前記画像形成装置への前記第２のセッションＩＤの通知とを実行しているのに対して、引用発明では、「前記セッションを管理するセッション管理システム」を備えておらず、また、セッション中継システムがセッションＩＤを「前記セッション管理システムに通知し」、「前記セッション管理システム」が、セッションＩＤを通知することが特定されていない点。
［相違点３］
　本願発明１は、「前記セッション管理システムは、前記画像形成装置の利用者から前記セッションの開始が承認されなかった場合、前記電子機器への前記第１のセッションＩＤの通知と、前記画像形成装置への前記第２のセッションＩＤの通知との少なくとも１つを実行せず」という処理を行うのに対して、引用発明では、機器の利用者がセッションの開始を承認しなかった場合の処理について特定されていない点。
［相違点４］
　本願発明１は、「前記
画像形成
前記画像形成装置に表示される画面の
（２）　［相違点２］についての判断
　事案に鑑みて、上記相違点２について先に検討する。
　相違点２に係る本願発明１における、
「前記セッションを管理するセッション管理システム」を備えるとともに、
「前記セッション中継システムは、前記セッションによる通信を前記セッション中継システムにおいて識別するための第１のセッションＩＤおよび第２のセッションＩＤを前記セッション管理システムに通知し」、
「前記セッション管理システムは」、前記電子機器への前記第１のセッションＩＤの通知と、前記画像形成装置への前記第２のセッションＩＤの通知とを実行しているという構成は、上記引用文献１−３には記載されておらず、本願出願前において周知技術であるともいえない。
　なお、上記「第４　２．その他の文献について」の「（１）　引用文献２」、「（２）　引用文献３」にそれぞれ記載されるように、端末から画像形成装置を遠隔操作する場合に、画像形成装置に表示する画面を端末に表示させて操作する点は、「画面共有」として、周知技術であると認められる。
　また、上記「第４　２．その他の文献について」の「（３）　引用文献α」に記載されるように、セッションを「中継」するための手段（サーバ）とは別に、セッションを「管理」するための手段（サーバ）を設けることまでは、周知技術といえるしても、さらに、相違点２に係る本願発明１のように、「セッション中継システム」がセッションＩＤを「セッション管理システム」に通知して、「セッション管理システム」が電子機器と画像形成装置にセッションＩＤを通知する点までも周知技術であるとはいえない。
　よって、当業者といえども、引用文献１に記載された発明に基づいて、周知技術（引用文献２−３等）を参照することによって、本願発明１の［相違点２］に係る構成を容易に想到することはできない。
（３）まとめ
　したがって、本願発明１は、［相違点１］、［相違点３］−［相違点４］
について検討するまでもなく、当業者であっても、引用文献１に記載された発明に基づいて、周知技術（引用文献２−３等）を参照することによって、容易に発明できたものであるとはいえない。
２．本願発明２−６について
　本願発明２−６も、上記［相違点２］に係る、本願発明１の、
「前記セッションを管理するセッション管理システム」を備えるとともに、
「前記セッション中継システムは、前記セッションによる通信を前記セッション中継システムにおいて識別するための第１のセッションＩＤおよび第２のセッションＩＤを前記セッション管理システムに通知し」、
「前記セッション管理システムは」、前記電子機器への前記第１のセッションＩＤの通知と、前記画像形成装置への前記第２のセッションＩＤの通知とを実行しているという構成と同一の構成を備えるものである。
　よって、本願発明１と同じ理由により、本願発明２−６も、当業者であっても、引用文献１に記載された発明に基づいて、周知技術（引用文献２−３等）を参照することによって、容易に発明できたものであるとはいえない。
第６　原査定について
　審判請求時の補正により補正された、本願発明１−６は、上記［相違点２］に係る、本願発明１の、
「前記セッションを管理するセッション管理システム」を備えるとともに、
「前記セッション中継システムは、前記セッションによる通信を前記セッション中継システムにおいて識別するための第１のセッションＩＤおよび第２のセッションＩＤを前記セッション管理システムに通知し」、
「前記セッション管理システムは」、前記電子機器への前記第１のセッションＩＤの通知と、前記画像形成装置への前記第２のセッションＩＤの通知とを実行しているという事項を有しており、当業者であっても、拒絶査定において引用された引用文献１に基づいて、容易に発明できたものとはいえない。
　したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。